(57)【要約】【課題】屋上緑化では植生の維持管理が必要になる。【解決手段】遮水性を有する上方開口状のケース１内を貯水部２とすると共に、遮水性ケース１の上方開口部1aを透水性を有する蓋材３で閉鎖した冷却保護材を屋根スラブ上面に接着材Ｔ等により固設する様にして、屋根スラブＳ上面の全面又は一部に複数個隙間無く敷設すると共に、貯水部２内に水を収容する。屋根スラブにおける冷却保護材の敷設部分は直射日光を受けないため、屋根スラブＳの過熱領域が狭くなると共に、上方に蓄えられた水により屋根スラブＳを冷却し、而も外気熱を吸収して貯水部２から水を蒸散させて、屋根スラブＳからの放熱を抑止する。加えて、屋根スラブＳ上面に施した防水層Ｕ上に複数個の冷却保護材を敷設することによって、防水層Ｕを保護する機能も兼備させている。【選択図】図３
2005146763.tif 000002
【特許請求の範囲】
【請求項１】
遮水性を有する上方開口状のケース内を貯水部とすると共に、遮水性ケースの上方開口
部を透水性を有する蓋材で閉鎖したことを特徴とする陸屋根用冷却保護材。
【請求項２】
遮水性ケース内を小室に区割して貯水部とすると共に、該小室の仕切壁の上端を蓋材の
下面に当接させたことを特徴とする請求項１記載の陸屋根用冷却保護材。
【発明の詳細な説明】
【技術分野】
【０００１】
本発明は、特に市街地のコンクリート建築物に多い陸屋根建築物における屋根スラブの
上面に敷設して、該屋根スラブの過熱を防止したり、過熱した屋根スラブを冷却する様に
した冷却保護材に関する。
【背景技術】
【０００２】
現在、夏期の市街地にあっては、地面、樹木が非常に少なく、その殆どがコンクリート
、アスファルト等で覆われていることから、地面、樹木からの水分の蒸散が少なく気化熱
による地表面の冷却が進まず、コンクリート・アスファルト面から大量の放射熱が放出し
、而も車両、工場施設等からの高温の排気ガス、エアコンからの廃熱も加わって、市街地
の気温だけが上昇する現象、所謂ヒートアイランド現象が発生し、地球温暖化の一因を構
成し、都市部での集中豪雨が頻繁に発生する様になった。
そこで、最近では、陸屋根建築物における屋根スラブ上に排水層、保水層及び防根透水
シートを設けると共に、その上に培地を造り植生する所謂屋上緑化を施すことで、屋根ス
ラブ上面を覆った土、植生から水分が蒸散すると共に、太陽光による屋根スラブ自体の過
熱を防止する様にしている。
【０００３】
研究開発段階や出願段階で先行技術調査を行っておらず、記載すべき先行技術文献を知
りません。
【発明の開示】
【発明が解決しようとする課題】
【０００４】
しかし、上記従来技術にあっては、確かにヒートアイランド現象の軽減の一因と成り得
るが、緑化工事自体が大規模であり、而もその後の剪定、施肥、散水、植替え等の維持管
理が必要になるなど、解決せねばならない課題があった。
【課題を解決するための手段】
【０００５】
本発明は、上記従来技術に基づく、植生の維持管理が必要な課題に鑑み、遮水性を有す
る上方開口状のケース内を貯水部とすると共に、遮水性ケースの上方開口部を透水性を有
する蓋材で閉鎖した冷却保護材を屋根スラブ上面に接着材等により固設する様にして、屋
根スラブ上面の全面又は一部に複数個隙間無く敷設すると共に、貯水部内に水を収容する
ことによって、屋根スラブにおける冷却保護材の敷設部分は直射日光を受けないため、屋
根スラブの過熱領域が狭くなると共に、上方に蓄えられた水により屋根スラブを冷却し、
而も外気熱を吸収して貯水部から水を蒸散させて、屋根スラブからの放熱を抑止する様に
して、上記課題を解決する。
而も、屋根スラブ上面に施した防水層上に複数個の冷却保護材を敷設することによって
、防水層を保護する機能も兼備させる様にしている。
【発明の効果】
【０００６】
要するに本発明は、遮水性を有する上方開口状のケース内を貯水部としたので、かかる
遮水性ケースを陸屋根の屋根スラブ上に複数個敷設することで、該屋根スラブ上にに大量
の水を蓄えることが出来るため、屋根スラブを冷却したり過熱防止することが出来、而も
敷設状態の遮水性ケースによって、屋根スラブの全面又は一部を隠すことが出来るため、
屋根スラブにおける直射日光の受光面積を無くすか減少させることが出来、よってヒート
アイランド現象の一因である屋根スラブからの放熱量を抑止することが出来る。又、屋根
スラブ上面には防水層が施されているが、該防水層上に水を直接貯めては、防水層が吸水
膨潤、加水分解等により劣化してしまうが、本発明のものは防水層上に遮水性ケースを敷
設するため、防水層を保護することも出来る。
又、遮水性ケースの上方開口部を透水性を有する蓋材で閉鎖したので、屋根スラブ上が
高温状態になると、貯水部の水が外気熱を吸熱して蒸散し蓋材を通過して外部に放散され
て外気熱を低下させることが出来るため、ヒートアイランド現象の規模減縮を図ることが
出来る。又、蓋材は透水性を有しているため、蓋材を捲くらずに降雨又は蓋材上への散水
により貯水部内に水を補充することが出来るため、管理・維持を簡略化することか出来る
と共に、蓋材を遮水性ケースに固着一体化しても対応することが出来る。
又、遮水性ケース内を小室に区割して貯水部とすると共に、該小室の仕切壁の上端を蓋
材の下面に当接させたので、上方開口部が大きい遮水性ケースに対し蓋材を取扱いが容易
な軟質なものとしても、該蓋材の下には小室の仕切壁があるため、蓋材の踏抜きを防止し
てその上を歩行することが出来る等その実用的効果甚だ大である。
【発明を実施するための最良の形態】
【０００７】
以下、本発明の実施の形態を図面に基づき説明する。
本発明に係る冷却保護材にあっては、主にコンクリート建築物に多い陸屋根建築物にお
ける屋根スラブＳ上（屋根スラブＳ上の防水層Ｕ上）に敷設するもので、遮水性を有する
上方開口状のケース１内を貯水部２とすると共に、遮水性ケース１の上方開口部1aを透水
性を有する蓋材３で閉鎖している。
【０００８】
具体的には、図１に示す様に、平面視方形状の遮水性ケース１内を小室４、4a…に区割
して貯水部２とし、小室４、4a…の仕切壁５、5a…の上面を遮水性ケース１より低くし、
蓋材３の下面外周部に段差部６を形成すると共に、該段差部６に遮水性ケース１が、仕切
壁５、5a…の上面が蓋材３の下面に夫々当接する様に成ってる。尚、ケース１に対し蓋材
３は、着脱自在であったり、接着剤等により固着一体化しても良い。
遮水性ケース１の材質としては、プラスチック、金属、セラミックス、木等、硬質にし
て耐熱・耐候性を有するものであれば良いが、敷設作業性からプラスチック製、特にＡＢ
Ｓ樹脂製とするのが好ましく、大きさは１辺が２００〜１０００ｍｍ程度で、高さが５０
〜１００ｍｍ程度のものが好ましい。
又、遮水性ケース１内に小室４、4a…を設けなくても良く、この場合、人が載っても撓
んだり、折れない強度が蓋材３に必要になるが、重くなって蓋材３が取り扱い難くなるこ
とから、遮水性ケース１内に小室４、4a…を設けると共に、蓋材３を人口芝の様な軟質の
シート材とするのが望ましい。但し、素材自体に透水性がない場合、蓋材３には無数の孔
（図示せず）を形成することで、蓋材３自体に透水性を具備させている。
尚、図示しないが、遮水性ケース１に、敷設状態における隣接する遮水性ケース１、１
同志の連結手段を設けても良く、又小室４、4a…の形状は、円形状、六角形状等であって
も良い。
【０００９】
次に、本発明に係る冷却保護材の作用について説明する。
上記遮水性ケース１の下面に、例えば合成ゴム系、エポキシ樹脂系接着剤又はポリマー
セメントモルタルの様な接着材Ｔを塗布し屋根スラブＳ上に載置したり、或いは接着材Ｔ
を塗布した屋根スラブＳ上に遮水性ケース１を載置して、遮水性ケース１を屋根スラブＳ
上に固設することを繰り返して、図２に示す様に、複数個の遮水性ケース１を碁盤目状に
隙間無く配列固設した後、貯水部２内に水を貯め、最後に各遮水性ケース１の上方開口部
1aを蓋材３で塞げば、屋根スラブＳ上に低温の水を蓄えられる。
即ち、屋根スラブＳの全面又は一部が敷設された遮水性ケース１で隠れることから、屋
根スラブＳにおける直射日光の受光面積が全くないか減少し、過熱状態になったとしても
、水が屋根スラブＳの熱を吸収する、即ち水で屋根スラブＳが冷却されるため、屋根スラ
ブＳからの放熱量が抑えられる。
更に、屋根スラブＳ上には防水層Ｕが施されており、該防水層Ｕ上に本発明のものが複
数個敷設されて防水層Ｕの上面の一部又は全面が覆われるため、防水層Ｕが保護される。
尚、遮水性ケース１に対し蓋材３を固着一体化されていても、蓋材３が透水性を有して
いることから、降雨により貯水部２内に水が補充され、不足時には、蓋材３上に散水すれ
ば、一々蓋材３を捲らずに水を補充出来る。
又、遮水性ケース１の屋根スラブＳへの固設手段としては、図示しないが、屋根スラブ
Ｓに打ち込んだアンカーボルトを遮水性ケース１に貫通させると共に、パッキン等の遮水
材を介してナットを螺嵌する様にしても良い。
【図面の簡単な説明】
【００１０】
【図１】本発明に係る陸屋根用冷却保護材の蓋材を一部破断した状態の斜視図である。
【図２】図１の陸屋根用冷却保護材の敷設状態を示す平面図である。
【図３】図２の要部拡大断面図である。
【符号の説明】
【００１１】
１        遮水性ケース
1a        上方開口部
２        貯水部
３        蓋材
４、4a…  小室
５、5a…  仕切壁
【図１】
2005146763.tif 000003
【図２】
2005146763.tif 000004
【図３】
2005146763.tif 000005